(57)【要約】【課題】テレビジョンの音量を大きくしたまま電源オフした場合、次回電源をオンすると大きな音が出力されることがある。【解決手段】テレビジョンの電源をオンされた場合に、前回の音量値にかかわらず、消音にする。当初の音量値が規定値以下の場合には、消音を解除する。上記当初の音量が規定値以上の場合には、ユーザから消音解除の命令がされた場合には、消音を解除し、音量設定が変更された場合には、所定時間経過後、その音量で音声を出力し、所定時間経過後も音量変更などの操作がされていない場合には、上記規定値で音声を出力する。【選択図】図２
2008219638.tif 000002
【特許請求の範囲】
【請求項１】
映像を表示するディスプレイと、
音声を出力するスピーカと、
アンテナで受信されるテレビ放送信号から選択されているチャンネルのテレビ放送信号を抽出し出力するチューナと、
上記チューナが出力したテレビ放送信号に基づき、映像を上記ディスプレイに表示させ、音声を出力させる映像音声処理部と、
上記映像音声処理部の音声信号を、所定の音量に調整し、上記スピーカに出力するアンプと、
音量や消音および消音解除などを指示するリモコンと、
上記リモコンからの信号を受信するリモコン受信部と、
電源をオフにしたときの前回音量値などを記憶するＥＥＰＲＯＭと、
上記リモコン受信部からの信号に基づいた音量調節をアンプに指示し、音量表示などのＯＳＤ信号を表示させるための制御を映像音声処理部に対して行う、マイコンと
を備えるテレビジョンにおいて、
上記マイコンは、
テレビジョンの電源がオンになった際に、上記前回音量値にかかわらず、音量を消音にする指示をアンプに対して出力し、
上記前回音量値とあらかじめ設定された規定値とを比較し、
前記規定値より上記前回音量値が小さい場合には消音を解除し、上記前回音量値に音量を設定し、
上記規定値より上記前回音量値が大きい場合には、音量の点滅表示という形で、ユーザに対して警告し、
消音解除の命令をリモコン受信部より受けた場合には消音を解除し、
消音解除の命令を受けない場合には、音量の変更の命令をリモコン受信部より受けたかどうかを判断し、
音量の変更の命令を受けた場合には、音量の設定を変更し、電源オン後所定の時間が経過した場合には、消音を解除して、所定の表示を終了し、
音量の変更の命令を受けない場合には、電源オン後所定の時間が経過した場合には、上記規定値に上記音量値を設定後、消音を解除して、所定の表示を終了する
ことを特徴とするテレビジョン。
【請求項２】
前回音量値に係わらず、音量を消音にする消音制御手段と
上記前回音量値とあらかじめ設定された規定値とを比較する音量比較手段と、
上記規定値より上記前回音量値が小さい場合には消音を解除し、上記前回音量値に音量を設定する制御手段
を備えたテレビジョン。    
【請求項３】
上記消音制御手段が、テレビジョンの電源がオンになったときに、音量を消音にする
ことを特徴とする請求項２に記載のテレビジョン。
【請求項４】
上記規定値より上記前回音量値が大きい場合には、消音を解除せず、所定の表示を行う制御手段を備える
ことを特徴とする請求項２または３に記載のテレビジョン。
【請求項５】
上記制御手段は、消音解除が行われた場合に、消音を解除し、所定の表示を終了する
ことを特徴とする請求項４に記載のテレビジョン。    
【請求項６】
上記制御手段は、所定時間の間に、音量変更が行われたかどうかを判断し、音量変更が行われた場合には、消音を解除し、所定の表示を終了する
ことを特徴とする請求項４または５に記載のテレビジョン。
【請求項７】
上記所定の表示が、音量の点滅表示である
ことを特徴とする請求項４〜６のいずれかに記載のテレビジョン。
【請求項８】
時間を計測するするタイマと、
時間帯に応じた規定値を設定する手段とを備えており、
上記音量比較手段は、時間帯による規定値と上記前回音量値を比較する
ことを特徴とする請求項２〜７のいずれかに記載のテレビジョン。
【請求項９】
デジタル放送に対応しており、
放送内容のジャンルを識別する手段と、
ジャンルに応じた規定値を設定する手段とを備えており、
上記音量比較手段は、ジャンルによる規定値と上記前回音量値を比較する
ことを特徴とする請求項２〜７のいずれかに記載のテレビジョン。
【請求項１０】
放送信号に設定された視聴ランクを取得し、該視聴ランクに応じて該放送信号の視聴制限を行う視聴制御手段と、
視聴制御手段の視聴制限のランクに応じた規定値を設定する手段を備えており、
上記音量比較手段は、ランクによる規定値と上記前回音量値を比較する
ことを特徴とする請求項２〜７のいずれかに記載のテレビジョン。
【発明の詳細な説明】
【技術分野】
【０００１】
この発明は、テレビジョンに関し、特に音声ミュート機能を有しており、音声レベルを抑制できるようにしたテレビジョンに関するものである。
【背景技術】
【０００２】
従来、テレビジョンの電源を切る際に、電源を切る直前の最終状態の音声レベルなどが保持されており、次回、電源をつける際に、前回の電源を切る直前の最終状態で再起動される。そのため、テレビジョンの音量を大きくしたまま電源を切った場合に、次回テレビジョンの電源をつける際に、思わぬ音量がでることがあった。
【０００３】
そこで、従来、こうした問題を解決する技術として、以下のような技術が開示されている。
【０００４】
特許文献１では、電源オン時において、前回の電源オフ時に記憶された音量設定にかかわらず、音声レベルを消音レベルにし、使用者の解除指令が出されて消音を解除するか、時間の経過とともに音量レベルを上げていき、その音量レベルで確定させるためのボタンを表示する構成を有するテレビジョンが開示されている。
【０００５】
特許文献２では、操作部に微音量調整モードキー（ミュートキーと兼用）を設け、微音量調整モードキーが選択されて、電源がオンになった場合には、音量を消音レベルにし、音量の調整がされたときには消音が解除されるリモコンを開示している。
【０００６】
特許文献３では、電源投入時にタイマによってあらかじめ設定された時間の間、ミュート回路によって、スピーカから音声を出力させず、その間でも音量調整回路で音量調整ができるようにした音量調整装置が開示されている。
【特許文献１】特開２００１−２７５０６２号公報
【特許文献２】特開２０００−２３６４５４号公報
【特許文献３】特開平９−９３０５６号公報
【発明の開示】
【発明が解決しようとする課題】
【０００７】
前記特許文献１では、電源を入れた際に、いきなり思わぬ音量がでることはなくなる。ただし、音量が決定されるためには、かならず使用者の判断が必要となってくる。
前記特許文献２では、使用者があらかじめ微音量調節キーを操作することで、思わぬ音量が出ることはなくなる。しかし、あらかじめ操作をしていなければ、思わぬ音量がでることがあるし、音量の決定がされるためには、使用者の判断が必要になってくる。
前記特許文献３では、電源を入れた際に、いきなり思わぬ音量がでることはなくなる。ただし、音量が決定されるためには、かならず使用者の判断が必要となってくる。
【０００８】
この発明は、こうした実情に鑑みてなされたものであり、電源オン時に音量を消音にし、既存の音量が一定の音量以下の場合には、音量を既存値にすることのできるテレビジョンを提供することを目的とする。
【課題を解決するための手段】
【０００９】
こうした目的を達成するため、請求項２に記載の発明では、前回音量値に係わらず、音量を消音にする消音制御手段と、上記前回音量値とあらかじめ設定された規定値とを比較する音量比較手段と、上記規定値より上記前回音量値が小さい場合には消音を解除し、上記前回音量値に音量を設定する制御手段を備える構成としてある。
【００１０】
つまり、スピーカから音声を出力することになった際、記憶されている前回音量値とは関係なく、テレビジョンの音量を消音にさせた上で、前回設定値とあらかじめ設定された規定値とを比較する。比較した結果、前回設定値が、上記規定値より小さければ、消音を解除することで、前回音量値で音量が設定される。
【００１１】
そして、請求項３に記載の発明では、上記請求項２に記載のテレビジョンにおいて、上記消音制御手段が、テレビジョンの電源がオンになったときに、音量を消音にする構成としてある。
つまり、電源がオンになった際に、前回電源をオフしたときに記憶された前回音量値と関係なく、音量を消音にし、その後音量の比較等が行われる。
【００１２】
そして、請求項４に記載の発明では、上記請求項２または３に記載のテレビジョンにおいて、上記規定値より上記前回音量値が大きい場合には、消音を解除せず、所定の表示を行う制御手段を備える構成としてある。
そして、請求項５に記載の発明では、上記請求項４に記載のテレビジョンにおいて、上記制御手段は、消音解除が行われた場合に、消音を解除し、所定の表示を終了する構成としてある。
そして、請求項６に記載の発明では、上記請求項４または５に記載のテレビジョンにおいて、上記制御手段は、所定時間の間に、音量変更が行われたかどうかを判断し、音量変更が行われた場合には、消音を解除し、所定の表示を終了する構成としてある。
そして、請求項７に記載の発明では、上記請求項４〜６のいずれかに記載のテレビジョンにおいて、上記所定の表示が、音量の点滅表示である構成としてある。
【００１３】
そして、請求項８に記載の発明では、上記請求項２〜７のいずれかに記載のテレビジョンにおいて、時間を計測するするタイマと、時間帯に応じた規定値設定手段とを備えており、上記音量比較手段は、時間帯による規定値と上記前回音量値を比較する構成としてある。
つまり、時間帯に応じた規定値設定手段は、時間毎に規定値を設定しておく、もしくは通常の規定値を決めておき、深夜や早朝などについて、通常の規定値との加減値を設定することによって、時間帯による音量の規定値を設定する。電源がオンにされた際、消音になると同時に、タイマで電源がオンにされた際の時間を測定し、その時間帯に応じた音量の規定値と、前回音量を比較等が行われる。
【００１４】
そして、請求項９に記載の発明では、上記請求項２〜７のいずれかに記載のテレビジョンにおいて、デジタル放送に対応しており、放送内容のジャンルを識別する手段と、ジャンルに応じた規定値を設定する手段とを備えており、上記音量比較手段は、ジャンルによる規定値と上記前回音量値を比較する構成としてある。
つまり、時間のときと同様に、規定値設定手段はジャンル毎に規定値を設定しておく、もしくは通常の規定値を決めておき、ジャンルによって、通常の規定値との加減値を設定することによって、ジャンルによる音量の規定値を設定する。電源がオンにされた際、消音になると同時に、デジタル放送に含まれる番組情報からジャンルを取得し、そのジャンルに応じた音量の規定値と、前回音量を比較等が行われる。
【００１５】
そして、請求項１０に記載の発明では、上記請求項２〜７のいずれかに記載のテレビジョンにおいて、放送信号に設定された視聴ランクを取得し、該視聴ランクに応じて該放送信号の視聴制限を行う視聴制御手段と、視聴制御手段の視聴制限のランクに応じた規定値を設定する手段を備えており、上記音量比較手段は、ランクによる規定値と上記前回音量値を比較する構成としてある。
つまり、時間のときと同様に規定値を設定する。電源がオンにされた際、消音になると同時に、テレビ放送信号に含まれる視聴ランクを取得し、その視聴ランクに応じた音量の規定値と、前回音量を比較等が行われる。
ここで、放送信号信号に設定された視聴ランクによる視聴制限は、北米（アメリカ、カナダ）において、テレビ放送を受信するテレビジョンに、子供に対して不適切とされる映像および音声の受信および表示を視聴者側で制限するＶチップによる制限である。
【００１６】
また、さらに具体的な請求項１に記載の発明では、映像を表示するディスプレイと、音声を出力するスピーカと、アンテナで受信されるテレビ放送信号から選択されているチャンネルのテレビ放送信号を抽出し出力するチューナと、上記チューナが出力したテレビ放送信号に基づき、映像を上記ディスプレイに表示させ、音声を出力させる映像音声処理部と、上記映像音声処理部の音声信号を、所定の音量に調整し、上記スピーカに出力するアンプと、音量や消音および消音解除などを指示するリモコンと、上記リモコンからの信号を受信するリモコン受信部と、電源をオフにしたときの前回音量値などを記憶するＥＥＰＲＯＭと、上記リモコン受信部からの信号に基づいた音量調節をアンプに指示し、音量表示などのＯＳＤ信号を表示させるための制御を映像音声処理部に対して行う、マイコンとを備えるテレビジョンにおいて、上記マイコンは、テレビジョンの電源がオンになった際に、上記前回音量値にかかわらず、音量を消音にする指示をアンプに対して出力し、上記前回音量値とあらかじめ設定された規定値とを比較し、前記規定値より上記前回音量値が小さい場合には消音を解除し、上記前回音量値に音量を設定し、上記規定値より上記前回音量値が大きい場合には、音量の点滅表示という形で、ユーザに対して警告し、  消音解除の命令をリモコン受信部より受けた場合には消音を解除し、消音解除の命令を受けない場合には、音量の変更の命令をリモコン受信部より受けたかどうかを判断し、音量の変更の命令を受けた場合には、音量の設定を変更し、電源オン後、所定の時間が経過した場合には、消音を解除して、所定の表示を終了し、音量の変更の命令を受けない場合には、電源オン後所定の時間が経過した場合には、上記規定値に上記音量値を設定後、消音を解除して、所定の表示を終了する構成としてある。
【発明の効果】
【００１７】
以上説明したように、請求項２に記載の発明によれば、前回の音量値が大きく設定してあっても、そのまま大きな音量が出ることはない。また、音量が規定値の範囲内の場合には、自動的にその音量が出力されるようになるため、ユーザがいちいち判断を下す必要がなくなる。
【００１８】
また請求項３に記載の発明によれば、電源をオンにした際に、前回の音量値が不明であっても、いきなり大きな音量が出ることはない。
そして請求項４〜６に記載の発明によれば、前回の音量値が、規定値より大きい場合には、消音を解除せず、ユーザからの所定の操作を待って、消音を解除するため、いきなり大きい音量がでることはなく、ユーザの好みの音量に設定しなおす猶予が与えられる。
さらに請求項７に記載の発明によれば、音量が表示されているため、希望する音量かどうかが確認でき、かつ通常とは異なる形で表示されるため、音量が大きく設定されていることを知ることができる。
【００１９】
さらに請求項８に記載の発明によれば、深夜や早朝など、昼間より音量を大きくしにくい時間帯において、音量の規定値を別に設定することで、時間帯による音量を考慮することができる。
【００２０】
さらに請求項９に記載の発明によれば、比較的大きな音声が多いエンターテイメント等のジャンルについて音量を小さく設定したりすることで、ジャンルによる音量を考慮することができる。
【００２１】
さらに請求項１０に記載の発明によれば、暴力的な内容が含まれたものについて、視聴制限をかけていない場合であっても、音量を小さく設定することなどで、誤ってその番組をつけてしまった場合に、その音声を出力させなくすることなどができる。
【００２２】
さらに請求項１に記載の、より具体的な構成において、上述した請求項２〜請求項７の各発明と同様の作用を奏することは言うまでもない。
【発明を実施するための最良の形態】
【００２３】
以下、本発明をテレビジョンにおいて具現化した実施例について説明する。
【００２４】
図１は、本実施例におけるテレビジョン１００の概略構成を説明するブロック図である。なお、当該テレビジョン１００について、本願発明と直接関連しない構造については、詳細な説明、及び図示を省略する。
【００２５】
同図において、テレビジョン１００は、アンテナ１０aで受信されるテレビ放送信号から選択されているチャンネルのテレビ放送信号を抽出し出力するチューナ１０と、当該テレビ放送信号に基づき映像と音声を出力させる映像音声処理部２０と、ＯＳＤを含む映像を表示するディスプレイ３０と、マイコン４０と、ＥＥＰＲＯＭ４５と、リモコン５５と、リモコン受信部５０と、音量を調整するアンプ６５と、アンプ６５で所定の音量に調整された音声を出力するスピーカ６０とを備えている。
【００２６】
マイコン４０は、上記各構成部品と電気的に接続しており、テレビジョン１００の全体の動作を制御する。マイコン４０は、ＣＰＵ４０ａと、ＲＯＭ４０ｂと、ＲＡＭ４０ｃから構成される。つまり、マイコン４０においては、ＣＰＵ４０ａが、ＲＡＭ４０ｂをワークエリアとして、ＲＯＭ４０ｃに記憶されたプログラムやデータに基づいてテレビジョン１００の動作を制御する。
【００２７】
ＥＥＰＲＯＭ４５は、電源をオフした際のチャンネル情報や音量情報（前回音量値）などの情報を記憶する。
なお、音量の規定値は、初期設定としてマイコン４０中に組み込んでもよいし、ユーザ設定情報として、ＥＥＰＲＯＭ４５中に記憶してもよい。
【００２８】
マイコン４０は、リモコン受信部５０から入力される信号を受信することによって、制御処理を行う。マイコン４０は、リモコン５５にある消音ボタン５５ａを操作することによって出力された消音解除もしくは消音設定の信号によって、消音を解除し、もしくは消音に設定し、アンプ６５に対して消音の設定解除を行う。また、マイコン４０は、リモコン５５にある音量ボタン５５ｂを操作することによって出力された音量の増減信号に基づき、音量を増減するようにアンプ６５に対して音量の制御を行う。
なお、本実施例では、マイコン４０はリモコンからの信号の受信によって制御される構造としたが、本体にある制御パネル（不図示）からの操作によって、制御されることとしてももちろんよい。
【００２９】
以下、図２のフローチャートを参照して、電源がオンになったときのマイコンの音量の制御を説明する。
ここでは、テレビジョン１００のスピーカ６０から音声が出力されるようになるときの例として、電源がオンになった場合をあげているが、イヤホンからスピーカに切り替えたときなど、スピーカより音声が出力されるようになる状況であればよい。
【００３０】
ステップＳ１０では、マイコン４０は、消音制御手段として、前回の電源オフ時にＥＥＰＲＯＭ４５に記憶された音量値にかかわらず、音量を消音とする制御をアンプ６５に対して行う。
ステップＳ１１では、マイコン４０は、音量比較手段として、上記音量値と、あらかじめ設定された規定値とを比較する。比較した結果、上記音量値が規定値以下である場合には、ステップＳ１５に進む。
ステップＳ１５では、マイコンは消音を解除し、上記音量値の音量で音声を出力する制御をアンプ６５に対して行う。
【００３１】
次にステップＳ１１で、上記音量値が規定値以上である場合のマイコンの制御について説明する。
ステップＳ１１で、上記音量値が規定値以上であると判定されると、ステップＳ２０に進む。
【００３２】
ステップＳ２０では、マイコン４０は、音量変更回数Ｎを０に設定して、記憶する。
【００３３】
ステップＳ２１では、マイコン４０は警告表示として、上記音量値の音量表示を表示させるように、映像音声処理部２０に対して、ＯＳＤ信号を出す。映像音声処理部２０のＯＳＤ処理部２０ａは、このＯＳＤ信号を受けると、ディスプレイ３０に対してＯＳＤ信号を出力し、上記音量表示がディスプレイ３０に表示される。その際、上記音量表示は通常の音量表示時と異なることがわかるように、点滅表示とする。
【００３４】
ステップＳ２２では、マイコン４０は、リモコン５５から、消音解除の命令を受け取ったかを判定し、受け取っている場合には、上記音量表示を終了した上で、ステップＳ１５に進む。
【００３５】
ステップＳ２２で、消音解除の命令を受け取っていない場合には、ステップＳ２３に進み、マイコン４０はリモコン５５の音量ボタン５５ｂが押されたかどうか判定する。
音量ボタン５５ｂが押されていない場合には、ステップＳ２５に進む。
音量ボタン５５ｂが押された場合には、ステップＳ２４に進み、ステップＳ２４では、マイコン４０は上記音量値を音量ボタン５５ｂ操作後の音量値に書き換え、上記音量表示もあわせて変化させる信号を出力し、上記音量変更回数Ｎを１回増加して、ステップＳ２５に進む。
【００３６】
ステップＳ２５では、マイコンは電源がオンになってから、所定時間の３０秒が経過したかどうかを判定する。３０秒経過していない場合には、ステップＳ２１に戻る。
３０秒経過していた場合には、ステップＳ２６に進み、マイコンは上記音量変更回数が０かどうかを判定する。上記音量変更回数Ｎが０でない場合には、ステップＳ１５に進み、マイコン４０は、アンプ６５に対して、消音解除と、音量変更設定後の音量値で音声を出力する制御を行う。
【００３７】
ステップＳ２６で、上記音量変更回数Ｎが０の場合、ステップＳ２７に進み、マイコン４０は、あらかじめ設定された上記規定値に音量値を設定する。そして、ステップＳ１５に進み、マイコン４０はアンプ６５に対して上記規定値の音量値で音声を出力する制御を行う。
【００３８】
なお、本実施例において、ステップＳ２１での警告表示は音量表示としたが、警告文などが表示されるようにしてもよい。
また、ステップＳ２５で、所定時間を３０秒としたが、この時間は音量を調節するのに適当な時間であればよく、他の時間の長さでもよい。
【００３９】
次に、このフロー図で操作例を説明する。
【００４０】
まず、ＥＥＰＲＯＭ４５に記憶された音量値が、規定値以下の場合について説明する。この場合には、ユーザがテレビジョン１００の電源をオンにすると、マイコン４０は、ステップＳ１０で、音量を消音にし、ステップＳ１１で、音量が基準以下と判定して、ステップＳ１５で消音を解除し、ＥＥＰＲＯＭ４５に当初記憶された音量値で音声を出力する制御を行う。
【００４１】
次に、ＥＥＰＲＯＭ４５に記憶された音量値が、規定値よりも大きい場合について説明する。
この場合には、ユーザがテレビジョン１００の電源をオンにすると、ステップＳ１０で、マイコン４０は、音量を消音に設定し、ステップＳ１１で、音量値が規定値より大きいと判定されるため、ステップＳ２０で、音量変更回数Ｎを０と設定し、ステップＳ２１で、音量の点滅表示という形で、ディスプレイ３０上に警告表示をする。ユーザはその音量を確認し、そのままの音量でよいと判断すれば、消音ボタン５５ａを操作する。すると、マイコン４０は、ステップＳ２２で、消音ボタン５５ｂが操作を確認し、ステップＳ１５で、消音を解除し、ＥＥＰＲＯＭ４５に当初より記憶された音量値で、音声を出力する制御を行う。
【００４２】
また、ユーザが音量の表示を確認して、音量を調節する場合について説明する。その場合には、ユーザが、音量の調節を音量ボタン５５ｂで行うと、マイコン４０は、ステップＳ２３で、音量の変更を確認し、変更後の音量にディスプレイ３０上の音量表示を変化させる。これは、ユーザが音量変更を繰り返している間、もしくは電源を入れてから３０秒が経過するまで同じことが繰り返される。そして、電源を入れてから３０秒が経過すると、マイコン４０は、ステップＳ２６で、音量変更回数Ｎが０でないと判定し、ステップＳ１５で、消音を解除し、音量変更後の音量値で音声を出力する制御を行う。
【００４３】
なお、ユーザが電源をオンにした後、警告表示が出されても、そのまま何もしないで、３０秒が経過した場合には、マイコン４０は、ステップＳ２５で、電源がオンになった後３０秒経過したと判定し、ステップＳ２６で音量変更回数Ｎを０と判定し、ステップＳ２７で、音量を規定値に設定し、ステップＳ１５で、消音を解除し、規定値の音量値で音声を出力する制御を行う。
【００４４】
以上説明したように、この実施例では、マイコン４０は、音量を消音に設定後、当初の音量値が規定値以下の場合には、消音を解除し、上記当初の音量が規定値以上の場合には、消音解除操作もしくは音量ボタンの操作が行われれば、その操作に応じた内容の制御を行い、ユーザからの操作が何もない場合には、規定値の音量で音声を出力する。
【００４５】
このようにすることで、規定値以下の場合にはすばやく音声がスピーカ６０より出力されるようにし、規定値以上の場合にはユーザの処理があればそれに応じた処理を行い、ユーザからの処理がない場合であっても、規定値での音声出力となり、大きな音がいきなり出力されることを防ぐことができる。
【００４６】
以下、規定値の設定方法にかかる変形例を説明する。
（１）時間帯による規定値の変更
【００４７】
図３は、時間帯による規定値の変更例を示したものである。
【００４８】
テレビジョン１００に内蔵されているタイマ（図示しない）によって、マイコン４０は時間を計測する。マイコン４０は、該時間が、どのＥＥＰＲＯＭ４５に記憶されているテーブルＡの時間帯のどの時間帯に該当するかを判定する。その結果、通常の規定値からの変更を要する時間帯の場合には、通常の規定値とは別に、判定用の規定値を設定し、判定用の規定値を用いて、音量値との比較を行う。
【００４９】
例えば、通常の音量の規定値が６４レベル中の２０である場合を説明する。このとき、テレビジョン１００の電源がオンになる時刻が９時であれば、テーブルＡ上の規定値の変化量は０のため、規定値の変更を必要とせず、通常の規定値である２０で、音量値との比較を行う。
また、電源がオンになる時刻が２２時であれば、テーブルＡ上の規定値の変化量が、−５のため、規定値を１５に変更して、音量値との比較を行う。
【００５０】
この変形例のように構成することで、深夜や早朝など、音声が周囲の迷惑になりやすい時間帯には、通常より小さな音量で判定することができるようになる。
【００５１】
本変形例において、マイコン４０は、規定値設定手段として働いている。この変形例では、規定値設定手段が、時間帯ごとの規定値からの変化量を通常の規定値に増減することによって、規定値を設定する方法を説明したが、時間帯ごとの規定値をあらかじめＥＥＰＲＯＭ４５に記憶しておき、マイコン４０が、時間帯を判定後、該当規定値を判定用の規定値として設定し、該判定用の規定値と音量値との比較を行う構成としてもよい。
（２）番組の内容による規定値の変更
【００５２】
テレビジョン１００がデジタル放送対応テレビの場合、デジタル放送ではＥＰＧ内に番組のジャンルに関する情報が通常含まれている。
【００５３】
図４は、番組のジャンル別の規定値の変更例を示したものである。
【００５４】
時間帯による規定値の変更の場合と同じように、ジャンル別に規定値の変化量を設定する。マイコン４０は、デジタル放送の番組情報から、該番組がどのようなジャンルに属するかを判定し、判定されたジャンルが、通常の規定値からの変更を要するかどうかを判定する。変更を要するジャンルの場合には、判定用の規定値を設定し、判定用の規定値を用いて、音量値との比較を行う。
【００５５】
この変形例のように構成することで、大きな音の出やすいエンターテイメントやスポーツ番組では、通常より小さな音量で判定したり、あまり大きな音の出ないニュース番組では、通常より大きな音量で判定したり、番組の内容にあわせた判定を行うことができる。
【００５６】
本変形例において、マイコン４０は、規定値設定手段として働いている。この変形例では、規定値設定手段が、ジャンルごとの規定値からの変化量を通常の規定値に増減することによって、規定値を設定する方法を説明したが、ジャンルごとの規定値をあらかじめＥＥＰＲＯＭ４５に記憶しておき、マイコン４０が、ジャンルの判定後、該当規定値を判定用の規定値として設定し、該判定用の規定値と音量値との比較を行う構成としてもよい。
（３）視聴ランクによる規定値の変更
【００５７】
テレビジョン１００が、北米用のテレビジョンで、視聴制限手段としてＶチップを有している場合、番組に暴力的など子供に不適切な内容が含まれているかどうかをレーティングによって判定することができる。
【００５８】
図５は、レーティングに応じた規定値の変更例を示したものである。
【００５９】
時間帯による規定値の変更の場合と同じように、レーティング別に規定値の変化量を設定する。マイコン４０は、Ｖチップによるレーティングの情報から、該番組がどのようなレーティングに属するかを判定し、判定されたレーティングが、通常の規定値からの変更を要するかどうかを判定する。変更を要するレーティングの場合には、判定用の規定値を設定し、判定用の規定値を用いて、音量値との比較を行う。
【００６０】
この変形例のように構成することで、子供にとって不適切な内容が含まれる番組を見る場合には、通常より小さい音量で判定することができる。
【００６１】
本変形例において、マイコン４０は、規定値設定手段として働いている。この変形例では、規定値設定手段が、レーティングごとの規定値からの変化量を通常の規定値に増減することによって、規定値を設定する方法を説明したが、レーティングごとの規定値をあらかじめＥＥＰＲＯＭ４５に記憶しておき、マイコン４０が、レーティングを判定後、該当規定値を判定用の規定値として設定し、該判定用の規定値と音量値との比較を行う構成としてもよい。
【００６２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６３】
【図１】テレビジョンの概略構成を示すブロック図である。
【図２】マイコンの音量制御のフローチャートである。
【図３】時間帯による規定値の変化量のテーブルである。
【図４】ジャンルによる規定値の変化量のテーブルである。
【図５】視聴ランクによる規定値の変化量のテーブルである。
【符号の説明】
【００６４】
１０ａ…アンテナ
１０…チューナ
２０…映像音声処理部
２０ａ…ＯＳＤ処理部
３０…ディスプレイ
４０…マイコン
４０ａ…ＣＰＵ
５０…リモコン受信部
５５…リモコン
５５ａ…消音ボタン
５５ｂ…音量ボタン
６０…スピーカ
６５…アンプ
１００…テレビジョン
【図１】
2008219638.tif 000003
【図２】
2008219638.tif 000004
【図３】
2008219638.tif 000005
【図４】
2008219638.tif 000006
【図５】
2008219638.tif 000007